(57)【要約】【課題】高温暖房端末と低温暖房端末とを独立して運転するために、低温暖房端末への熱媒の供給及び停止をする開閉弁を備えた暖房装置において、効率的に開閉弁の開故障を判定する。【解決手段】第１暖房端末２のみが運転されているときに、第１還流路７１ｂに設けられた第１低温側温度検知部４４で検知される第１低温側熱媒温度Ｔ１と、第２供給路７３ａに設けられた第２低温側温度検知部４５で検知される第２低温側熱媒温度Ｔ２との温度差（Ｔ１−Ｔ２）が所定の判定温度以下である場合、開閉弁７６を開故障と判定する。【選択図】図２
2015068557.tif 000002
【特許請求の範囲】
【請求項１】
熱媒を加熱する加熱部と、
前記加熱部によって加熱された熱媒を利用して室内を暖房する第１暖房端末及び第２暖房端末と、
前記加熱部から前記第１暖房端末に熱媒を供給する第１供給路と、
前記第１暖房端末から前記加熱部へ熱媒を還流する第１還流路と、
前記第１還流路に流れる熱媒を前記第２暖房端末に供給する第２供給路と、
前記第２暖房端末から前記第１還流路に熱媒を還流する第２還流路と、
前記第１還流路であって、前記第１還流路と前記第２供給路の分岐部よりも前記加熱部側に設けられた第１低温側温度検知部と、
前記第２供給路であって、前記第１還流路と前記第２供給路の分岐部よりも前記第２暖房端末側に設けられた開閉弁及び第２低温側温度検知部と、
前記開閉弁の開故障を判定する制御部と、を備え、
前記制御部は、前記第１暖房端末のみが運転されているときに、前記第１低温側温度検知部で検知される第１低温側熱媒温度Ｔ１と、前記第２低温側温度検知部で検知される第２低温側熱媒温度Ｔ２との温度差（Ｔ１−Ｔ２）が所定の判定温度以下である場合、前記開閉弁を開故障と判定する暖房装置。
【請求項２】
請求項１に記載の暖房装置であって、
前記制御部は、前記第１暖房装置のみの運転が開始されてから所定の初期時間が経過した後、及び／または前記第１暖房装置のみの運転が開始されてから前記第１低温側温度検知部で検知される前記第１低温側熱媒温度Ｔ１が所定の初期温度以上になった後、前記第１低温側熱媒温度Ｔ１と前記第２低温側熱媒温度Ｔ２との温度差（Ｔ１−Ｔ２）が前記判定温度以下であるかどうかを判定する暖房装置。
【請求項３】
請求項２に記載の暖房装置であって、
前記初期温度は、前記第２暖房端末が運転されているときに前記第１低温側温度検知部で検知される定常熱媒温度よりも低く設定される暖房装置。
【発明の詳細な説明】
【技術分野】
【０００１】
本発明は、暖房装置に関する。特に、本発明は、高温暖房端末と低温暖房端末とを有し、低温暖房端末への熱媒の供給及び停止をする開閉弁の開故障を判定する機能を備えた暖房装置に関する。
【背景技術】
【０００２】
従来、熱媒を加熱するバーナやヒータなどの加熱部と、浴室暖房乾燥機や床暖房パネルなどの暖房端末と、加熱部で加熱された熱媒を暖房端末との間で循環させる循環回路とを備えた暖房装置が知られている。このような暖房装置では、床暖房パネルに供給される熱媒の温度（例えば、６０℃）が、浴室暖房乾燥機に供給される熱媒の温度（例えば、８０℃）よりも低いため、循環回路の上流側に浴室暖房乾燥機を、下流側に床暖房パネルを配設し、浴室暖房乾燥機から加熱部に還流する熱媒の一部を床暖房パネルに供給するように構成されている。
【０００３】
上記のような複数の暖房端末を有する暖房装置では、高温暖房端末である浴室暖房乾燥機と低温暖房端末である床暖房パネルとを同時に運転する場合の他、浴室暖房乾燥機と床暖房パネルをそれぞれ単独で運転する場合がある。使用者の要求に応じて、複数の暖房端末で任意に暖房運転できるようにするためには、低温暖房端末に熱媒を供給する供給路に開閉弁を設け、制御部からの信号に応じて開閉弁の開閉を制御する必要がある。そのため、開閉弁が故障すると、制御部からの信号に応じた熱媒の供給が制御できず、各暖房端末での温度が適切に制御できなくなる。例えば、制御部から閉信号が出力されているにも関わらず、開閉弁が閉弁しない開故障の場合、床暖房パネルに熱媒が供給されてしまうため、意図しない室内の暖房が行われるという問題がある。
【０００４】
上記のような問題に鑑み、床暖房パネルに熱媒を供給する供給路に熱媒の温度を検知する温度検知部を設け、開閉弁である熱動弁の閉信号を送信した後、加熱部による熱媒の加熱と熱媒の循環とを所定時間継続させ、所定時間内の温度検知部で検知される熱媒温度の上昇が所定値以下である場合、開閉弁の開故障と判断する暖房装置が提案されている（例えば、特許文献１）。
【先行技術文献】
【特許文献】
【０００５】
【特許文献１】特開平１１−３２５４８７号公報
【発明の概要】
【発明が解決しようとする課題】
【０００６】
しかしながら、上記暖房装置では、開閉弁の開故障を判定するために、床暖房パネルが設けられた室内の暖房が不要であるにも関わらず、一定時間、加熱部で熱媒を加熱するとともに、循環回路に熱媒を循環させなければならず、無駄なエネルギーが消費されるという問題がある。
【０００７】
本発明は上記課題を解決するためになされたものであり、本発明の目的は、高温暖房端末と低温暖房端末を独立して運転するために、低温暖房端末への熱媒の供給及び停止をする開閉弁を備えた暖房装置において、効率的に開閉弁の開故障を判定することにある。
【課題を解決するための手段】
【０００８】
本発明は、熱媒を加熱する加熱部と、
前記加熱部によって加熱された熱媒を利用して室内を暖房する第１暖房端末及び第２暖房端末と、
前記加熱部から前記第１暖房端末に熱媒を供給する第１供給路と、
前記第１暖房端末から前記加熱部へ熱媒を還流する第１還流路と、
前記第１還流路に流れる熱媒を前記第２暖房端末に供給する第２供給路と、
前記第２暖房端末から前記第１還流路に熱媒を還流する第２還流路と、
前記第１還流路であって、前記第１還流路と前記第２供給路の分岐部よりも前記加熱部側に設けられた第１低温側温度検知部と、
前記第２供給路であって、前記第１還流路と前記第２供給路の分岐部よりも前記第２暖房端末側に設けられた開閉弁及び第２低温側温度検知部と、
前記開閉弁の開故障を判定する制御部と、を備え、
前記制御部は、前記第１暖房端末のみが運転されているときに、前記第１低温側温度検知部で検知される第１低温側熱媒温度Ｔ１と、前記第２低温側温度検知部で検知される第２低温側熱媒温度Ｔ２との温度差（Ｔ１−Ｔ２）が所定の判定温度以下である場合、前記開閉弁を開故障と判定する暖房装置である。
【０００９】
上記暖房装置では、第１暖房端末で放熱した後、第１還流路に流れる熱媒が第２暖房端末に供給されるから、第１暖房端末が高温暖房端末として、第２暖房端末が低温暖房端末として機能する。また、第２暖房端末に熱媒を供給する第２供給路に開閉弁が設けられているから、開閉弁の開閉制御を行うことにより第１暖房端末と第２暖房端末とを独立して運転することができる。そして、第１還流路と第２供給路の分岐部よりも加熱部側に第１低温側温度検知部が設けられており、上記分岐部よりも第２暖房端末側に第２低温側温度検知部が設けられているから、開閉弁が正常に閉弁されている状態で第１暖房端末のみが運転される場合、第２低温側温度検知部まで加熱された熱媒は流入しない。従って、第１低温側温度検知部で検知される第１低温側熱媒温度Ｔ１は、第２低温側温度検知部で検知される第２低温側熱媒温度Ｔ２よりも高温となる。
しかしながら、制御部から閉信号が送信されても開閉弁が閉弁しない開故障の状態である場合、第１還流路から第２低温側温度検知部を越えて第２暖房端末に熱媒が供給されるから、第１低温側温度検知部及び第２低温側温度検知部でそれぞれ検知される第１低温側熱媒温度Ｔ１と第２低温側熱媒温度Ｔ２との温度差（Ｔ１−Ｔ２）は小さくなる。従って、第１暖房端末のみを運転するときに両熱媒温度の温度差が所定の判定温度以下であるかどうかを判定することにより、第２暖房端末を運転することなく、開閉弁の開故障を確実に判定することができる。
【００１０】
上記暖房装置において、好ましくは、
前記制御部は、前記第１暖房装置のみの運転が開始されてから所定の初期時間が経過した後、及び／または前記第１暖房装置のみの運転が開始されてから前記第１低温側温度検知部で検知される前記第１低温側熱媒温度Ｔ１が所定の初期温度以上になった後、前記第１低温側熱媒温度Ｔ１と前記第２低温側熱媒温度Ｔ２との温度差（Ｔ１−Ｔ２）が前記判定温度以下であるかどうかを判定する。
【００１１】
熱媒温度が低い状態から暖房運転が行われるときのコールドスタートまたは熱媒温度が高い状態から暖房運転が行われるときのホットスタートいずれでも、暖房運転開始直後は、第１低温側熱媒温度Ｔ１と第２低温側熱媒温度Ｔ２とは略同温度になっている。従って、開故障の状態であっても、第１暖房端末の運転を開始してから余りに短時間内に判定を行うと、熱媒温度が上昇しておらず、両熱媒温度の温度差が生じていない場合がある。従って、第１暖房端末の運転を開始してから、所定の初期時間が経過するか、または第１低温側熱媒温度Ｔ１が所定の初期温度以上であるかの少なくともいずれか一方が確認された後、両熱媒温度を対比すれば、より確実に開故障を判定することができる。
【００１２】
上記暖房装置において、好ましくは、
前記初期温度は、前記第２暖房端末が運転されているときに前記第１低温側温度検知部で検知される定常熱媒温度よりも低く設定される。
【００１３】
既述したように、高温暖房端末である第１暖房端末と低温暖房端末である第２暖房端末とでは要求される熱媒温度が異なるから、開閉弁の開故障が生じている状態で第１暖房端末のみを運転すると、第２暖房端末を運転するときよりも高温の熱媒が第２暖房端末に流入する虞がある。しかしながら、上記暖房装置では、開故障を判定するための初期温度を、第２暖房端末の運転時に第１低温側温度検知部で検知される定常熱媒温度よりも低く設定しているから、高温の熱媒が第２暖房端末に流入する前に開故障を判定することができる。
【発明の効果】
【００１４】
以上説明したように本発明によれば、第１暖房端末と、第１暖房端末から加熱部に還流する熱媒が供給される第２暖房端末とを有し、第２暖房端末への熱媒の供給及び停止をする開閉弁を備えた暖房装置で開閉弁の開故障を判定するにあたって、第２暖房端末を運転することなく、開故障を判定することができるから、省エネルギー化を図ることができる。
【図面の簡単な説明】
【００１５】
【図１】図１は、本発明の実施の形態に係る暖房装置の一例を示す概略構成図である。
【図２】図２は、本発明の実施の形態に係る暖房装置で、開閉弁の開故障を判定するための制御動作を示すフローチャートである。
【発明を実施するための形態】
【００１６】
以下、図面を参照しながら本発明の実施の形態に係る暖房装置を具体的に説明する。
【００１７】
図１は、本発明の実施の形態に係る暖房装置の一例を示す概略構成図である。
【００１８】
図１に示すように、本発明の実施の形態に係る暖房装置は、１台の室外機１と、浴室内を暖房乾燥する１台の浴室暖房乾燥機２と、室内の床面に設置される２台の床暖房パネル３，３とを有しており、室外機１とこれら暖房端末２，３とは、熱媒を循環させる循環回路７により接続されている。
【００１９】
室外機１内には、熱媒を加熱する加熱部として、バーナ５と、バーナ５の燃焼によって発生した燃焼ガスにより加熱される熱交換器６とが配設されている。バーナ５には、燃料ガスを供給するガス供給管５１が接続されており、ガス供給管５１には、ガスの供給及び停止をする電磁弁５２と、ガス流量を制御するガス比例弁５３とが設けられている。電磁弁５２は、後述する制御部Ｃからの通電により開閉制御され、ガス比例弁５３は、制御部Ｃからの通電により開度が調整される。また、バーナ５の近傍には、燃焼ファン５４が設けられている。燃焼ファン５４の回転数は、制御部Ｃからの燃焼ファン５４を回転させるモータ（図示せず）への通電量を変更することにより調整される。バーナ５の燃焼制御は、ガス比例弁５３によるガス流量と、燃焼ファン５４による燃焼用空気の供給量により行われる。さらに、室外機１には、外気温を検知するための外気温サーミスタ４０が設けられており、外気温サーミスタ４０で検知された外気温の検知信号は、制御部Ｃに出力される。
【００２０】
熱媒を循環する循環回路７は、室外機１内に配設されたバーナ５によって熱媒を昇温させる熱交換部７０と、熱交換部７０の出口側と浴室暖房乾燥機２とを接続し、浴室暖房乾燥機２に熱媒を供給する第１供給路７１ａと、浴室暖房乾燥機２と熱交換部７０の入口側とを接続し、浴室暖房乾燥機２からの熱媒を還流する第１還流路７１ｂと、第１還流路７１ｂから分岐し、床暖房パネル３，３に熱媒を供給する第２供給路７３ａと、床暖房パネル３，３から第１還流路７１ｂに熱媒を還流する第２還流路７３ｂと、第１供給路７１ａを流れる熱媒を浴室暖房乾燥機２を介さずに第１還流路７１ｂに合流させるバイパス路７４とを備えている。
【００２１】
第１還流路７１ｂには、熱媒の膨張と収縮を吸収するシスターン４２と、一定回転で駆動されて熱媒を循環させる循環ポンプ４３とが設けられている。循環ポンプ４３は、制御部Ｃによってその回転が駆動制御される。また、第１供給路７１ａとバイパス路７４の分岐部７７よりも熱交換器６側には、第１供給路７１ａを流れる熱媒の温度を検知する高温サーミスタ４１が設けられており、第１供給路７１ａとバイパス路７４の分岐部７７よりも浴室暖房乾燥機２側には、浴室暖房乾燥機２への熱媒の供給及び停止をする電磁弁７８が設けられている。電磁弁７８は、浴室暖房乾燥機２の暖房運転時以外は、常閉している開閉弁であり、制御部Ｃからの通電により開弁される。さらに、第１還流路７１ｂと第２供給路７３ａの分岐部７５よりも熱交換器６側には、第１還流路７１ｂを流れる熱媒の温度を検知する第１低温サーミスタ（第１低温側温度検知部）４４が設けられている。高温サーミスタ４１及び第１低温サーミスタ４４で検知された熱媒温度の検知信号は、制御部Ｃに出力される。
【００２２】
また、第１還流路７１ｂと第２供給路７３ａの分岐部７５と床暖房パネル３，３との間には、各床暖房パネル３，３への熱媒の供給及び停止をする熱動弁（開閉弁）７６，７６が設けられている。また、分岐部７５と熱動弁７６，７６との間には、第２供給路７３ａを流れる熱媒の温度を検知する第２低温サーミスタ（第２低温側温度検知部）４５が設けられている。熱動弁７６は、床暖房パネル３の暖房運転時以外は、常閉している開閉弁であり、制御部Ｃからの作動に応じて、図示しない電気ヒータの熱などにより開閉制御される。具体的には、使用者がリモコンＲで設定する床暖房レベルに応じて熱動弁７６を開閉させる時間を調整することにより、床暖房パネル３に流れる熱媒の量が調整される。なお、第２暖房端末用の開閉弁として、熱動弁７６の代わりに、電磁弁またはモータ弁を用いてもよい。第２低温サーミスタ４５で検知された熱媒温度の検知信号は、制御部Ｃに出力される。
【００２３】
上記暖房装置において、浴室暖房乾燥機２及び床暖房パネル３で暖房運転が同時に行われる場合、バーナ５を燃焼させて熱交換部７０で加熱された高温の熱媒は、まず浴室暖房乾燥機２に送られ、浴室暖房乾燥機２で放熱される。次いで、放熱後の温度の低下した熱媒が床暖房パネル３に送られ、さらに床暖房パネル３で放熱された後、熱交換部７０に戻される。従って、本実施の形態の暖房装置では、浴室暖房乾燥機２が高温暖房端末として、床暖房パネル３が低温暖房端末として機能する。
【００２４】
また、電磁弁７８が開弁された状態で、熱動弁７６が閉弁されると、床暖房パネル３に熱媒が供給されなくなり、第１供給路７１ａ及び第１還流路７１ｂのみを熱媒が循環する。従って、正常に熱動弁７６が閉弁していれば、第２供給路７３ａには熱媒が流入しないから、分岐部７５と熱動弁７６との間に第２低温サーミスタ４５を設けることにより、熱動弁７６よりも下流側に複数の床暖房パネル３を設けても、単一の第２低温サーミスタ４５で検知される熱媒温度を利用して熱動弁７６の故障を判定することができる。なお、熱媒として水を用いてもよいし、例えば、エチレングリコール等を主成分とする不凍液を用いてもよい。
【００２５】
室外機１には、循環ポンプ４３の作動、電磁弁５２，７８、ガス比例弁５３及び熱動弁７６の開閉、並びに燃焼ファン５４の回転数を制御する制御部Ｃが設けられている。この制御部Ｃは、図示しないマイコンやタイマなどを備えており、リモコンＲで所定の操作が行われると、各種の運転制御プログラムに従って、循環ポンプ４３等の作動を制御する。例えば、浴室暖房乾燥機２の暖房運転のみを行う場合には、電磁弁７８を開弁し、熱動弁７６を閉弁した状態とし、循環ポンプ４３を作動させて、浴室暖房乾燥機２のみに熱媒を循環させる。同様に、床暖房パネル３の暖房運転のみを行う場合には、電磁弁７８を閉弁し、所定の熱動弁７６を開弁した状態で、循環ポンプ４３を作動させて、床暖房パネル３に熱媒を循環させる。さらに、浴室暖房乾燥機２及び床暖房パネル３の暖房運転の両方を行う場合には、電磁弁７８及び熱動弁７６を開弁した状態で、循環ポンプ４３を作動させて、浴室暖房乾燥機２及び床暖房パネル３に熱媒を循環させる。
【００２６】
図示しないが、制御部Ｃは、浴室暖房乾燥機２の暖房運転のみを行う場合に、熱動弁７６の開故障を判定するための判定手段を備えており、運転初期における第１及び第２低温サーミスタ４４，４５でそれぞれ検知される第１及び第２低温側熱媒温度Ｔ１，Ｔ２に基づいて、熱動弁７６の故障を判定する。具体的には、本実施の形態の判定手段は、記憶部、判定部、及び指令部を備えている。記憶部には、熱動弁７６の故障を判定するための判定温度、判定タイミングの初期時間、及び初期温度のデータテーブルが記憶されている。また、判定部は、運転初期における第１及び第２低温サーミスタ４４，４５でそれぞれ検知される第１及び第２低温側熱媒温度Ｔ１，Ｔ２を用いて、熱動弁７６の故障を判定し、指令部に出力する。指令部は、判定部での判定結果に基づき、熱動弁７６の開故障が生じている場合、リモコンＲ等からその故障を報知する。
【００２７】
次に、上記暖房装置における第２供給路７３ａに設けられた熱動弁７６の開故障判定を、図２を参照して具体的に説明する。なお、本実施の形態の暖房装置では、浴室暖房乾燥機２のみで暖房運転する単独暖房運転、床暖房パネル３のみで暖房運転する床暖房単独暖房運転、並びに浴室暖房乾燥機２及び床暖房パネル３で暖房運転する複合暖房運転の各運転モードで運転することができるが、以下では、本発明に関連する浴室暖房乾燥機２で単独暖房運転が行われる場合についてのみ説明する。
【００２８】
まず、使用者がリモコンＲで浴室暖房乾燥機２の暖房運転スイッチをオン操作すると（ステップＳＴ１）、制御部Ｃは、タイマをスタートさせるとともに、電磁弁７８を開弁し、循環ポンプ４３の作動を開始して、第１供給路７１ａ及び第１還流路７１ｂに熱媒を循環させる。また、制御部Ｃは、燃焼ファン５４を回転させるとともに、ガス供給管５１に設けられた電磁弁５２及びガス比例弁５３を開弁し、バーナ５に燃料ガスを供給してバーナ５の燃焼を開始する（ステップＳＴ２）。
【００２９】
次いで、暖房運転が開始されてから、所定の初期時間（例えば、５分間）が経過したかどうか、さらに、第１低温サーミスタ４４で検知される第１低温側熱媒温度Ｔ１が所定の初期温度（例えば、５０℃）以上かどうかが判断される（ステップＳＴ３及びＳＴ４）。これにより、熱媒温度が低い状態から暖房運転が行われるときのコールドスタート、熱媒温度が高い状態から暖房運転が行われるときのホットスタートいずれでも、熱動弁７６が正常に閉弁していれば、第１低温側熱媒温度Ｔ１と第２低温側熱媒温度Ｔ２との温度差が大きくなるから、確実に開故障を判定することができる。なお、初期温度は、好ましくは、床暖房単独暖房運転または複合暖房運転を行ったときに第１低温サーミスタ４４で検知される定常熱媒温度（例えば、６０℃）よりも低く設定される。すなわち、高温暖房端末である浴室暖房乾燥機２のみで暖房運転される場合と、床暖房パネル３のみあるいは床暖房パネル３及び浴室暖房乾燥機２で暖房運転される場合とでは要求される熱媒温度が異なるから、熱動弁７６が正常に閉弁していれば、浴室暖房乾燥機２のみを運転したときに床暖房パネル３に高温の熱媒が流入することはない。しかしながら、熱動弁７６が開故障していると、加熱部から一定の温度の熱媒を供給して床暖房パネル３を運転しているときよりも高温の熱媒が床暖房パネル３に供給される虞がある。このため、初期温度を床暖房パネル３の運転が行われているときに第１低温サーミスタ４４で検知される定常熱媒温度よりも低く設定すれば、高温の熱媒が床暖房パネル３に流入する前に開故障を判定することができる。
【００３０】
暖房運転が開始されてから、所定の初期時間（例えば、５分間）が経過し、第１低温サーミスタ４４で検知される第１低温側熱媒温度Ｔ１が所定の初期温度以上である場合（ステップＳＴ３及びＳＴ４で、Ｙｅｓ）、第１低温サーミスタ４４で検知される第１低温側熱媒温度Ｔ１と第２低温サーミスタ４５で検知される第２低温側熱媒温度Ｔ２との温度差（Ｔ１−Ｔ２）が所定の判定温度（例えば、５℃）以下であるかどうかが判定される（ステップＳＴ５）。そして、温度差（Ｔ１−Ｔ２）が判定温度以下である場合（ステップＳＴ５で、Ｙｅｓ）、第１還流路７１ｂから第２供給路７３ａに熱媒が流入している虞があるから、電磁弁５２及びガス比例弁５３を閉弁して、バーナ５の燃焼を停止させるとともに、リモコンＲ等から熱動弁７６の開故障を報知する（ステップＳＴ６）。なお、温度差（Ｔ１−Ｔ２）が判定温度より大きい場合（ステップＳＴ５で、Ｎｏ）、設定された温度の熱媒温度となるようにガス比例弁５３によるガス流量及び燃焼ファン５４による燃焼用空気の供給量が調整されて、バーナ５の燃焼制御が継続される（ステップＳＴ７）。
【００３１】
上記実施の形態の暖房装置において、高温暖房端末である浴室暖房乾燥機２のみを運転するときに正常に熱動弁７６が閉弁していれば、第１還流路７１ｂから第２供給路７３ａに熱媒は流入しない。従って、第１還流路７１ｂに設けられた第１低温サーミスタ４４で検知される第１低温側熱媒温度Ｔ１は、第２供給路７３ａに設けられた第２低温サーミスタ４５で検知される第２低温側熱媒温度Ｔ２よりも高温となり、両熱媒温度の温度差（Ｔ１−Ｔ２）が大きくなる。一方、熱動弁７６が開故障している場合、第１還流路７１ｂから第２供給路７３ａを介して床暖房パネル３、及び第２還流路７３ｂに熱媒が循環されるから、第１低温側熱媒温度Ｔ１と第２低温側熱媒温度Ｔ２とは略同温度となり、両熱媒温度の温度差（Ｔ１−Ｔ２）が小さくなる。従って、浴室暖房乾燥機２のみに熱媒を循環する単独暖房運転が行われているときに、第１低温側熱媒温度Ｔ１と第２低温側熱媒温度Ｔ２との温度差（Ｔ１−Ｔ２）が所定の判定温度以下であれば、熱動弁７６が開故障していると判定することができる。これにより、熱動弁７６の開故障の判定のためだけにバーナ５の燃焼や循環ポンプ４３の作動は必要ないから、省エネルギー化を図ることができる。また、床暖房パネル３の暖房運転時には熱動弁７６を閉弁させる開故障の判定は行われないから、室内温度の上昇が遅れてしまうこともない。さらに、熱動弁７６の開故障を判定するためだけに床暖房パネル３が自動運転されることもないから、使用者が床暖房パネル３の運転スイッチをオン操作していないにも関わらず、使用者の意図しない室内の暖房が開始されることによる違和感を生じさせることもない。
【００３２】
（その他の実施の形態）
（１）上記実施の形態では、第１暖房端末として浴室暖房乾燥機を、第２暖房端末として床暖房パネルを有する暖房装置について説明したが、室内暖房機などの他の暖房端末を有する暖房装置にも本発明を適用できる。
【００３３】
（２）上記実施の形態では、第１暖房端末である浴室暖房乾燥機で暖房運転が行われるときに熱動弁の開故障を判定する場合について説明したが、加熱された熱媒を浴室暖房乾燥機に循環する運転が行われる場合であれば、乾燥暖房運転が行われるときに熱動弁の開故障を判定してもよい。また、浴室内にミスト噴霧が可能なミスト機能付き浴室暖房乾燥機である場合、ミスト暖房運転を行うときに熱動弁の開故障を判定してもよい。
【００３４】
（３）上記実施の形態では、熱動弁の開故障を判定するにあたって、第１暖房端末である浴室暖房乾燥機の運転が開始されてから所定の初期時間が経過し、且つ第１低温側熱媒温度Ｔ１が所定の初期温度以上となった後、第１低温側熱媒温度Ｔ１と第２低温側熱媒温度Ｔ２とを対比しているが、初期時間または初期温度いずれかのみを開故障の判定タイミングとして用いてもよい。
【００３５】
（４）上記実施の形態では、第２低温側温度検知部は、第１還流路と第２供給路の分岐部と熱動弁との間に設けられているが、熱動弁よりも床暖房パネル側に設けられてもよい。この場合、複数の床暖房パネルを有する暖房装置では、複数の第２低温側温度検知部が必要となるが、各熱動弁の開故障を判定することができる。
【００３６】
（５）上記実施の形態では、第２暖房端末である床暖房パネルの暖房運転を行う場合、一定の温度の熱媒を供給し、熱動弁の開閉時間により暖房レベルを調整しているが、異なる温度の熱媒を供給することにより暖房レベルを調整してもよい。この場合、初期温度は、最も高い暖房レベルが設定されているときに第１低温側温度検知部で検知される定常熱媒温度以下に設定することが好ましい。
【符号の説明】
【００３７】
２    浴室暖房乾燥機（第１暖房端末）
３    床暖房パネル（第２暖房端末）
５    バーナ
６    熱交換器
４４  第１低温サーミスタ（第１低温側温度検知部）
４５  第２低温サーミスタ（第２低温側温度検知部）
７１ａ  第１供給路
７１ｂ  第１還流路
７３ａ  第２供給路
７３ｂ  第２還流路
７５  分岐部
７６  熱動弁（開閉弁）
Ｃ    制御部
【図１】
2015068557.tif 000003
【図２】
2015068557.tif 000004